(57)【要約】高速放送サービスを支援する移動通信システムにおいて放送サービスを終了するための方法及び装置を提供する。基地局から、前記基地局により占有されるセル内の少なくとも一つの移動端末に放送サービスを提供する移動通信システムにおいて、前記基地局からの放送サービス途中に前記移動端末により前記放送サービスを終了するため、放送サービスの終了要求があると、位置登録メッセージにおいて位置登録理由を表すフィールドを放送サービスの終了を要求するための値に設定して前記基地局に転送する。前記移動端末が前記基地局から放送サービスを受けている最後の移動端末なら、前記基地局は前記位置登録メッセージを受信するとき前記放送サービスを終了する。
2005512452.tif 000002
【特許請求の範囲】
【請求項１】
基地局から、前記基地局により占有されるセル内の少なくとも一つの移動端末に放送サービスを提供する移動通信システムにおいて、前記基地局からの放送サービス途中に前記移動端末により前記放送サービスを終了する方法において、
放送サービスの終了要求があると、放送終了要求メッセージを生成する過程と；
前記放送終了要求メッセージを前記基地局に転送する過程と；を含むことを特徴とする方法。
【請求項２】
前記移動端末が前記基地局から放送サービスを受けている最後の移動端末なら、前記基地局が前記放送終了要求メッセージを受信する際、前記放送チャネルを解除することによって前記放送サービスを終了することを特徴とする請求項１に記載の方法。
【請求項３】
前記終了要求メッセージは、位置登録理由を表すフィールドに放送サービスの終了を要求する値が記録された位置登録メッセージであることを特徴とする請求項１に記載の方法。
【請求項４】
前記放送サービス途中に、位置登録理由を表す前記フィールドに放送サービスの保持を要求する値が記録された位置登録メッセージを、前記移動端末により前記基地局に周期的に転送することを特徴とする請求項３に記載の方法。
【請求項５】
基地局から、前記基地局により占有されるセル内の少なくとも一つの移動端末に放送サービスを提供する移動通信システムにおいて、前記基地局により前記移動端末に提供される放送サービスを終了する方法において、
放送サービス途中に前記移動端末からメッセージが受信されると、前記受信されたメッセージが放送終了要求メッセージか確認する過程と；
前記メッセージが放送終了要求メッセージなら、前記移動端末の放送サービスが終了されることを前記移動通信システムに通報する過程と；を含むことを特徴とする方法。
【請求項６】
前記移動端末が前記基地局から放送サービスを受ける最後の移動端末なら、前記基地局が放送チャネルを解除することによって放送サービスを終了する過程をさらに含むことを特徴とする請求項５に記載の方法。
【請求項７】
前記終了要求メッセージは、位置登録理由を表すフィールドに放送サービスの終了を要求する値が記録された位置登録メッセージであることを特徴とする請求項５に記載の方法。
【請求項８】
前記移動端末との間に予め約束された位置登録周期に到達するまで、前記移動端末から、位置登録理由を表す前記フィールドに前記放送サービスの保持を要求する値が記録された位置登録メッセージが受信されないと、前記移動端末の放送サービスが終了されることを前記移動通信システムに通報する過程をさらに含むことを特徴とする請求項７に記載の方法。
【請求項９】
基地局から、前記基地局により占有されるセル内の少なくとも一つの移動端末に放送サービスを提供する移動通信システムにおいて、前記基地局からの放送サービス途中に前記移動端末により前記放送サービスを終了する装置において、
前記移動端末の放送サービスのためのセッション接続を開始・保持・解除するセッション管理者と；
前記セッション管理者によって前記セッション接続が解除されると、前記放送サービスを終了するための終了要求メッセージを生成して前記基地局に転送するメッセージ生成器と；を含むことを特徴とする装置。
【請求項１０】
前記終了要求メッセージは、位置登録理由を表すフィールドに放送サービスの終了を要求する値が記録された位置登録メッセージであることを特徴とする請求項９に記載の装置。
【請求項１１】
前記基地局との間に予め約束された位置登録周期値に設定されたタイマーをさらに含み、
前記メッセージ生成器は、前記放送サービス途中に、前記タイマーが満期される度ごとに位置登録理由を表すフィールドに放送サービスの保持を要求する値が記録された位置登録メッセージを生成して前記基地局に転送することを特徴とする請求項９に記載の装置。
【発明の詳細な説明】
【技術分野】
【０００１】
本発明は、高速移動通信システムに関し、特に、移動端末により放送サービスを終了するための方法及び装置に関する。
【背景技術】
【０００２】
未来の通信環境は、有線と無線間の領域区分や、地域や国家間の区分を乗り越えるくらいに激変していきつつある。特に、ＩＭＴ−２０００(International Mobile Telecommunication 2000)などの未来の通信環境は、画像と音声はもちろん、使用者が必要とする様々な情報を実時間かつ総合的に提供する環境へと構築されていく趨勢にある。また、移動通信システムの発達水準は、携帯電話(cellular phone)やＰＣＳ(Personal Communication System)などの移動端末を用いて単なる音声通信のみを行う水準を越え、文字情報の転送のほか、無線で放送サービスを視聴できる水準にまで到っている。
【０００３】
現在、３ＧＰＰ２(3rd Generation Partnership Project 2)では、移動通信システムでの放送サービスのために多様なサービス媒体及び効率的な資源の利用を考慮している。このような放送サービスは、移動端末からの逆方向フィードバック情報無しに高速の順方向データを移動端末に送信することにより行われる。これは、一般のテレビ放送サービスと類似な概念を持つといえる。
【０００４】
しかしながら、移動端末の放送サービスのために既存の共通チャネルをセル境界まで同一の放送サービス性能を保障できるように設計すると、過度なセル容量が消耗されてしまう。そこで、第３世代移動通信システムでは、パケットデータサービスのために提案された付加チャネル(Supplemental Channel：ＳＣＨ)を介して放送サービスを提供し、これにより、一定性能を保障しつつも基地局の消耗電力を低減している。
【０００５】
前記付加チャネルは、特定使用者に対してロングコードマスク(long code mask)を使用する専用チャネルであったが、放送サービスのために共通のロングコードマスクを使用するように変形される。そして、前記変形された付加チャネルは、放送サービスの途中に移動端末のフィードバック情報が要らない自動ハンドオフ(Autonomous handoff)と追加符号化(Outer coding)を支援することにより、既存の共通チャネル以上の性能を保障する。また、移動端末が電力制御情報と逆方向フィードバック情報を転送しなくて済むため、専用の逆方向チャネルによるセル容量を消耗しなくなり、概念的には一つのセル内に無限に端末を収容できるようになる。
【０００６】
放送サービスを受けるために、移動端末は、最初に同調された周波数チャネルを介して基地局から放送サービス用パラメータメッセージ(Broadcast Service Parameter Message：ＢＳＰＭ)を受信し、この受信したメッセージから放送サービス用オーバーヘッド情報を得る。図１に、基地局から受信する放送サービス用パラメータメッセージ(ＢＳＰＭ)のフォーマットを示す。
【０００７】
図１を参照すれば、まず、ＦＢＳＣＨ＿ＦＲＥＱ(Forward Broadcast Supplemental Channel Frequency)フィールドは、放送サービス用周波数を指定する。移動端末は、前記ＦＢＳＣＨ＿ＦＲＥＱフィールドから放送サービス用に別途指定された周波数を確認し、その周波数に遷移する。ＦＢＳＣＨ＿ＣＯＤＥ＿ＣＨＡＮフィールドは物理チャネルの符号情報を表し、ＦＢＳＣＨ＿ＲＡＴＥフィールドは該当物理チャネルの転送率を表す。ＨＳＢＳ＿ＩＤ(High Speed Broadcast Service_Index)は、端末に放送サービスサーバ(Contents Server)が提供する放送サービスの種類を指示する。ＦＢＳＣＨ_ＩＤは物理チャネルのインデックスでり、ＢＳＲ＿ＩＤ(Broadcast Service Reference Index)は、放送サービスの内容を示す論理的区分子である。移動端末は、ＨＳＢＳ＿ＩＤフィールド、前記ＦＢＳＣＨ_ＩＤフィールド、及びＢＳＲ＿ＩＤフィールドから、物理チャネルと、これを通じて提供されるサービスにマッピングされた論理的情報を確認する。
【０００８】
ＮＧＨＢＲ(Neighbor)に関連したフィールドは、周辺セルに対する情報を表す。すなわち、ＮＧＨＢＲ情報は、ハンドオフの可否を通知するために、周辺セルの数(ＮＵＭ＿ＮＧＨＢＲ)、ＦＢＳＣＨの符号、周波数及び転送率などを表し、移動端末の周辺の多数の基地局へのハンドオフを可能にする。特に、自動ハンドオフの場合、移動端末は、ＢＳＰＭにより周辺セルに対する情報を獲得し、その獲得した情報に基づいて該当周辺セルからの信号を結合することによって、受信性能を向上させる。
【０００９】
移動端末は前記ＦＢＳＣＨ＿ＦＲＥＱフィールドに設定されたサービス周波数に同調して放送サービスを開始する。放送サービスの途中に、移動端末は周期的または非周期的にシステムに位置登録手続きを行う。通常、放送サービス中の移動端末の位置登録は、新規のサービス周波数に同調したか、或いは、放送サービスのために予め規定された位置登録周期に到達する度ごとに規則的に行われる。図１に示したＢＳＰＭ内のＨＳＢＳ＿ＲＥＧ＿ＴＩＭＥＲフィールドは、規則的な登録手続きを行うためのタイマー値(すなわち、位置登録周期)を指示している。ここで用いられる値は、例えば１分〜１０分である。この値は、通常、移動端末の呼出(Paging)のために用いられる位置登録周期とは区分されるもので、放送サービス時に限って用いられるものである。
【００１０】
前記位置登録情報は、放送サービスサーバに提供されて移動端末に提供されている放送サービス及び移動端末が受けようとする放送サービスを指示するなどの目的に利用されることができる。特に、移動端末の規則的な登録手続きは、受信された放送サービスに対する課金(billing)のための情報として用いられることができる。既存のシステムでは、移動端末により放送サービスを終了するための別の手続きを規定しておらず、移動端末の規則的な登録がない場合、自動的に放送サービスを終了してきた。
【００１１】
ところが、上記のように動作する既存の放送サービスでは、使用者が望む時間に放送サービスを終了できない。すなわち、使用者が放送サービスの利用を中止したにもかかわらず、移動端末は、少なくとも次の位置登録周期に到達するまで続いて付加チャネルを介して放送データを受信する。この結果、移動端末と基地局間に不要なトラフィックが発生してしまうため、有無線資源を浪費することにつながる他、特に、基地局では、それ以上放送サービスを受ける端末がないにもかかわらず放送チャネルを保持しなければならないという負担があった。また、課金の面においても、使用者が実際に放送サービスを利用した時間よりも多くの料金が果たされるという問題点があった。
【発明の開示】
【発明が解決しようとする課題】
【００１２】
したがって、本発明の目的は、放送サービスの終了に当たって移動通信システムにおいて有無線資源の浪費を最小化する方法及び装置を提供することにある。
【００１３】
本発明の他の目的は、移動端末から放送メッセージの終了要求メッセージを生成して転送する方法及び装置を提供することにある。
【００１４】
本発明のさらに他の目的は、放送サービスの終了要求があるとき、移動端末により放送サービスを終了する方法及び装置を提供することにある。
【課題を解決するための手段】
【００１５】
上記の目的を達成するべく、本発明は、基地局から、前記基地局により占有されるセル内の少なくとも一つの移動端末に放送サービスを提供する移動通信システムにおいて、前記基地局からの放送サービス途中に前記移動端末により前記放送サービスを終了する方法において、放送サービスの終了要求があると放送終了要求メッセージを生成する過程と、前記放送終了要求メッセージを前記基地局に転送する過程と、を含む。前記移動端末が前記基地局から放送サービスを受けている最後の移動端末なら、前記基地局が前記放送終了要求メッセージを受信するとき、前記放送サービスを終了する。
【００１６】
前記放送サービス途中に移動端末からメッセージを受信すると、基地局は、前記メッセージが前記放送サービス終了要求メッセージか判断し、放送サービス終了要求メッセージであると、前記基地局は、前記移動端末に提供されている放送サービスが終了されることを通報する。
【００１７】
放送サービス途中に前記移動端末により前記放送サービスを終了する装置において、セッション管理者は、前記移動端末の放送サービスのためのセッション接続を開始・保持・解除し、メッセージ生成器は、前記セッション管理者によって前記セッション接続が解除されると、前記放送サービスを終了するための終了要求メッセージを生成して前記基地局に転送する。
【発明の効果】
【００１８】
上述の如く動作する本発明では、放送サービスの終了に当たって、移動端末により基地局に終了要求メッセージを転送することによって放送サービスのリアルタイム登録/終了を可能にするため、システムにおいて有/無線資源の浪費が抑えられ、合理的な放送サービス課金情報を算出できる効果が奏される。
【発明を実施するための最良の形態】
【００１９】
以下、本発明の好ましい実施例を添付図面を参照しつつ詳細に説明するものの、図面中、同一の構成要素には可能な限り同一の参照番号及び符号を共通使用する。なお、周知技術については適宜説明を省略するものとする。
【００２０】
後述する本発明の特徴は、高速放送サービスシステムにおいて移動端末が放送サービスの終了要求メッセージを転送すると、移動通信システムで前記移動端末の放送サービスを終了することにあり、特に、通常の位置登録中止による放送サービス終了と併用して使用者の放送サービス終了要求をリアルタイムで処理する。
【００２１】
本発明は、移動端末の位置登録手続きのために定められた位置登録メッセージを利用する。すなわち、移動端末は、周期的または非周期的に移動通信システムに位置登録メッセージを転送するが、この位置登録メッセージには移動端末が位置登録手続きを行う理由を表すフィールドが含まれる。したがって、前記フィールドに高速放送サービス(High Speed Broadcast Service：ＨＳＢＳ)の終了を要求する値を記入して転送すると、前記位置登録メッセージは基地局において放送サービス終了要求メッセージとして認識される。
【００２２】
図２は、本発明によって放送サービス終了を要求するために用いられる位置登録メッセージのフォーマットを示す図である。図２を参照すれば、ＨＳＢＳ＿ＩＤ(High Speed Broadcast Service_Index)フィールドは、放送サービスサーバ(Contents Server)により移動端末に提供される放送サービスの種類を識別するための値であり、ＲＥＧ＿ＴＹＰＥフィールドは、位置登録理由を表す値である。すなわち、位置登録メッセージはＨＳＢＳ＿ＩＤで識別される放送サービスに対応するものであり、ＲＥＧ＿ＴＹＰＥフィールドにより登録理由を区別する。
【００２３】
前記ＲＥＧ＿ＴＹＰＥフィールドにおいて、‘００００’は移動端末が予め定められる通常の位置登録周期に到達した時、‘０００１’は電源が入った時、‘００１０’は新しい位置登録領域(Registration Zone)に進入する時、‘００１１’は電源が切れる時、‘０１００’はシステムパラメータが変更された時、‘０１０１’はシステムから位置登録が指示された時、‘０１１０’は基地局からの距離が所定単位で変化する時、‘０１１１’は新しい使用者領域に進入した時に位置登録を行うことを意味する。また‘１０００’(HSBS Session)は、高速放送サービス(ＨＳＢＳ)を開始したり保持したりするための位置登録を意味する。前記‘１０００’と設定された ＲＥＧ＿ＴＹＰＥを持つ位置登録メッセージは、上述したように、通常の位置登録周期とは別個に、放送サービス開始時に基地局により指示された位置登録周期に到達される度ごとに転送される。
【００２４】
本発明では高速放送サービス(ＨＳＢＳ)の終了を要求するために新しい値‘１００１’を使用する。基本的に、周期的登録がなされないと放送サービスは自動的に終了するが、位置登録メッセージのＲＥＧ＿ＴＹＰＥが放送サービスの終了を要求する値に設定された場合にも放送サービス終了手続きが行われる。
【００２５】
図３は、本発明に適用される移動端末のブロック構成図である。
図３を参照すれば、制御部(Controller)１０は、移動端末の全般的な動作を制御する。メモリ１５は、プログラムメモリ、データメモリ、不揮発性メモリなどを含む。前記プログラムメモリは、読み取り専用メモリ(Read Only Memory：ＲＯＭ)で構成され、前記移動端末の全般的な動作を制御するためのプログラムを格納する。前記データメモリは、ランダムアクセスメモリ(Random Access Memory：ＲＡＭ)で構成され、前記移動端末の動作中に発生するデータを一時格納する。前記不揮発性メモリは、ＥＥＰＲＯＭ(Electric Erasable Programmable Read Only Memory)で構成され、短縮ダイアルリングなどの使用者便宜機能のために登録される電話番号などとシステムパラメータ(system parameters)などを格納する。
【００２６】
キー入力部(keypad)１６は、前記制御部１０の動作を制御するための命令語キー信号及びデータ入力のためのキー信号を発生して前記制御部１０に提供し、表示部(Display)１３は、前記キー入力部１６からのキー信号及び前記制御部１０からの各種情報信号を受信してディスプレイし、特に、前記制御部１０の制御に応じて各種状態情報をディスプレイする。
【００２７】
無線処理部(Radio Frequency module)１１は、アンテナから受信される無線周波数(Radio Frequency：ＲＦ)信号をダウンコンバートしこれを低域フィルタリング(Base-band Filtering)、ＰＮ(Pseudo-random Noise)逆拡散(Despreading)、ウォルシュ(Walsh)逆拡散、デインターリービング(Deinterleaving)、復号化(Decoding)などの処理を通じてＴＶ放送チャネルに該当する映像データと音声データを出力する。
【００２８】
前記映像データは映像処理部(Video Processor)１２に提供され、前記音声データは音声処理部(Voice Processor)１４に提供される。前記映像処理部１２は、前記表示部１３と連結されて前記映像データを所定の処理を通じて表示部１３上にディスプレイする。前記音声処理部１４は、スピーカー(Speaker：ＳＰＫ)及びマイク(Microphone：ＭＩＣ)と連結されて前記音声データを所定の処理を通じてアナログ音声信号に変換しこれを前記スピーカーに出力し、前記マイクから入力される使用者音声信号を所定処理を経て出力する。
【００２９】
図４は、本発明が適用される高速放送サービスシステムの全体構成を示す図である。ここで、放送サービスサーバ(Contents Server：ＣＳ)１４０、パケットデータサービスノード(Packet Data Serving Node：PSDN)１３０、パケット制御部(Packet Control Function blocks)１２０、１２１、及び基地局１１０〜１１３は、ＩＰ(Internet Protocol)を基盤とするパケット通信ネットワークを介して相互接続される。放送サービスサーバ１４０は、放送サービスのための映像及び音声データを圧縮されたインターネットプロトコル(ＩＰ)パケットの形態に提供する。前記映像及び音声データは、インターネットなどのパケット通信ネットワークを介してパケットデータサービスノード１３０からパケット制御部１２０、１２１に供給される。パケット制御部１２０、１２１は、前記映像及び音声データを自分に連結された複数の基準基地局１１０〜１１３に伝達する。最終的に、前記基地局１１０〜１１３に到達した映像及び音声データは、アンテナを介して無線周波数信号の形態に複数の移動端末１００〜１０４に放送される。
【００３０】
以上において前記放送サービスサーバ１４０によって生成された映像及び音声データを予め指定される複数の基地局１１０〜１１３に伝達するためにはＩＰマルチキャストが利用される。これら複数の基地局１１０〜１１３は放送サービスサーバ１４０からＩＰマルチキャストデータを受けるマルチキャストグループ(Multicast Group)を形成する。前記マルチキャストグループのメンバー情報は、前記基地局１１０〜１１３に連結されるマルチキャストルータ(Multicast Router：ＭＲ)(図示せず)によって保持される。前記マルチキャストルータは、基地局のほか、ＰＣＦなどの他の個体にも連結されることができる。前記放送サービスサーバ１４０から生成されたＩＰマルチキャストデータは、マルチキャストグループを形成する複数の基地局１１０〜１１３にブロードキャスティングされ、これら基地局１１０〜１１３は、該当サービス領域内の移動端末１００〜１０４に前記ＩＰマルチキャストデータを転送する。
【００３１】
図５は、ＩＰマルチキャストを利用して放送サービスを提供するために基地局をマルチキャストグループに登録する手続きを示すメッセージ流れ図である。図５を参照すれば、過程２１０において移動端末(ＭＳ)から放送サービスを開始するために基地局(ＢＳ)に登録メッセージを送信すると、前記基地局は前記移動端末が自分のセル領域内で放送サービスを受ける最初の移動端末であることを確認し、高速放送サービス(ＨＳＢＳ)を開始するためにＨＳＢＳチャネル(付加チャネル)に対する環境を構成するようになる。仮に、前記移動端末が放送サービスを受ける最初の移動端末でないと、前記基地局は既にマルチキャストグループに登録されているものであるから、以降の過程を行う必要がない。その他の場合、前記基地局は移動端末からの登録メッセージを受信することなく、パケットデータサービスノードなどの指示により高速放送サービスを開始することができる。
【００３２】
前記環境構成が完了すると、過程２２０において、前記基地局はＰＣＦにＡ９−Setup−Ａ８メッセージを送る。ここで、Ａ９及びＡ８は、前記Setupメッセージが基地局とＰＣＦ間の通信のためのＡ８/Ａ９インターフェースによるものであるのを意味し、前記SetupメッセージはＨＳＢＳチャネルの連結のための終端ＩＰアドレスを含む。前記ＰＣＦは前記Setupメッセージを受信し、前記基地局が放送サービスのための中間ノードとなるのを認識する。すると、過程２３０で前記ＰＣＦは自分に連結されたマルチキャストルータ(ＭＲ)とＩＧＭＰ(Internet Group Management Protocol)基盤の既知のメッセージを交換して前記基地局を放送サービスのためのマルチキャストグループに登録する。前記ＩＧＭＰ手続きにおいて前記マルチキャストルータはマルチキャストルーティング情報を更新する。前記マルチキャストグループ登録手続きが完了すると、過程２４０において前記ＰＣＦは、Ａ９−Connect−Ａ８メッセージを前記基地局に転送して放送サービスのためのマルチキャストグループに登録されたことを知らせる。
【００３３】
上記の過程を通じて更新されたマルチキャストルーティング情報は、過程２５０でマルチキャストルーティングプロトコルによって前記マルチキャストルータからＰＤＳＮを通じて他の全ての該当マルチキャストルータに転送され、最終的には放送サービスサーバに通報される。すると、放送サービスサーバからの放送データは、ＩＰマルチキャストデータの形態にマルチキャストグループに登録された基地局に転送される。したがって、過程２６０において前記基地局は、前記放送サービスサーバからＩＰマルチキャストデータを受信し、前記ＨＳＢＳチャネルを介して前記移動端末に伝達する。
【００３４】
図６は、本発明の実施例によって移動端末で放送サービス終了を行うための装置の構成を示す図である。図６を参照すれば、セッション管理者(Session Manager)３００は、移動端末と放送サービスサーバ間に設定される放送サービスセッションの開始・保持・解除などのあらゆる状況を管理する。前記放送サービスセッションは、放送サービスが行われる間に前記移動端末と前記放送サービスサーバ間に必要な一連の相互動作(interactions)を意味する。放送サービス途中にタイマー３２０は、基地局から受信されたＨＳＢＳメッセージのＨＳＢＳ＿ＲＥＧ＿ＴＩＭＥＲフィールドにしたがって放送サービスのために予め定められた位置登録周期値に設定され、前記位置登録周期に到達する度ごとにメッセージ生成器(Message Generator)３１０にこれを知らせる。すると、前記メッセージ生成器３１０は、ＲＥＧ＿ＴＹＰＥフィールドを放送サービスの保持を表す値(‘１０００’)に設定した位置登録メッセージを生成して無線制御チャネルを介して基地局に転送する。
【００３５】
放送サービスが開始された後、使用者が現在進行中の放送サービスの終了を要求したり、新しい放送サービスへの転換を要求したりする場合、若しくは、音声または一般のデータ呼接続のための呼出メッセージが受信されて放送サービスが終了すると、前記セッション管理者３００は、前記放送サービスに対して連結されたセッションを解除(close)し、前記メッセージ生成器３１０にこれを知らせるようになる。すると、前記メッセージ生成器３１０は位置登録メッセージのＲＥＧ＿ＴＹＰＥフィールドを放送サービスの終了を表す値(‘１００１’)に設定した終了要求メッセージを生成して無線チャネルを介して基地局に転送する。
【００３６】
一方、前記放送サービス終了を知らせる情報は、前記セッション管理者３００からタイマー３２０にも伝達される。すると、前記タイマー３２０は、放送サービスのための位置登録周期に到達しても前記メッセージ生成器３１０にこれを知らせない。したがって、放送サービスが終了された後には放送サービス保持のための位置登録メッセージが転送されなくなる。
【００３７】
図７は、本発明の実施例によって移動端末から放送サービスの終了要求メッセージを転送する手続きを示す流れ図である。
図７を参照すれば、使用者が放送サービスを終了するとか、ＨＳＢＳ＿ＩＤで指定された他の放送サービスに転換するとか、音声/データ呼が呼出されるとかの場合(過程４００)、セッション管理者３００は、放送サービスに対して連結されたセッションを解除し(過程４１０)、放送サービスの終了をメッセージ生成器３１０に知らせる。すると、前記メッセージ生成器３１０は終了要求メッセージ、すなわちＲＥＧ＿ＴＹＰＥフィールドが放送サービスの終了を表す値(‘１００１’)に設定された位置登録メッセージを生成し(過程４２０)、この終了要求メッセージは無線制御チャネルを介して基地局に転送される(過程４３０)。
【００３８】
図８は、本発明の実施例によって基地局で放送サービス終了要求メッセージを受信する手続きを示す流れ図である。
図８を参照すれば、移動端末に放送サービスを提供している基地局は、無線制御チャネルを介して前記移動端末からメッセージを受信すると(過程５００)、この受信されたメッセージが放送メッセージの終了要求メッセージなのか確認する(過程５１０)。仮に、終了要求メッセージだと、前記移動端末に対する放送サービスセッションを解除(close)し放送サービスを終了する。一方、終了要求メッセージでないと、放送サービスのために前記移動端末との間に予め約束された位置登録周期値に設定された位置登録タイマーが満期されたか確認する(過程５２０)。前記基地局の前記位置登録タイマーは、前記移動端末から放送サービスの保持を要求する位置登録メッセージが受信される度ごとにリセットされる。
【００３９】
仮に、前記位置登録タイマーが満期されるまで放送サービスの保持を要求する位置登録メッセージが受信されなかったら、前記基地局は、前記移動端末に対する放送サービスセッションを解除し放送サービスを終了する(過程５３０)。このように終了要求メッセージによる終了手続きと位置登録タイマーによる終了手続きを併用することによってセッション終了失敗に備えることができる。
【００４０】
一方、基地局は、移動端末に対する放送サービスセッションを解除(close)する時、その移動端末が前記基地局のサービス領域内で放送サービスを受けていた最後の移動端末か判断する。その移動端末が最後の移動端末であり、前記基地局のサービス領域内でそれ以上放送サービスを受ける他の移動端末が存在しないと、該当基地局はそれ以上放送サービスを行う必要がないので、既に登録されたマルチキャストグループから解除(de-registration)される必要がある。しかし、最後の端末でない場合は、基地局は移動端末のサービス終了状況をリアルタイムでＰＣＦまたは放送サービスサーバに知らせて該当端末のサービス終了を認識させる。
【００４１】
図９は、移動端末の放送サービスが終了される時、マルチキャストグループの基地局を解除する手続きを示すメッセージ流れ図である。以下では基地局をマルチキャストグループから解除する手続きが説明されるものの、この手続きは基地局のほか、ＰＣＦ及びＰＤＳＮの各終端別にも同様に行われるべきである。すなわち、ＰＣＦまたはＰＤＳＮのサービス領域内に放送サービスを行う移動端末がそれ以上存在しない場合、該当ＰＣＦまたはＰＤＳＮは既に登録されたマルチキャストグループから解除される。
【００４２】
図９を参照すれば、過程６１０において特定放送サービスを終了したい場合、移動端末(ＭＳ)は、放送サービスの終了を要求するメッセージを基地局(ＢＳ)に転送する。ここで、前記終了要求メッセージはＲＥＧ＿ＴＹＰＥフィールドの値を放送サービス終了を表す値(‘１００１’)に設定した位置登録メッセージである。前記移動端末が放送サービスを受ける唯一の移動端末でないと、前記基地局は他の移動端末のために放送サービスを続けなければならないため、単にＰＣＦ及び/またはＰＤＳＮにのみ前記移動端末の放送サービスが終了されることを通知する。しかし、最後の移動端末が放送サービスを終了すると、基地局はＨＳＢＳチャネルをそれ以上保持する必要がないと判断し、放送サービスを終了するために以降の過程を行う。
【００４３】
すなわち、過程６２０において基地局はＨＳＢＳチャネルに対する環境構成を除去し、ＰＣＦにＡ９−Release−Ａ８メッセージを転送する。ここで、Ａ９及びＡ８は基地局とＰＣＦ間のＡ８/Ａ９インターフェースを表し、前記ReleaseメッセージはＨＳＢＳチャネルに対するＡ８連結の終端ＩＰアドレスを含む。前記ＰＣＦは、前記Releaseメッセージを受信すると前記基地局がマルチキャストグループから解除しようとすることを認識する。すると、過程６３０において前記ＰＣＦは、自分に連結されたマルチキャストルータ(ＭＲ)とＩＧＭＰ基盤のメッセージを交換し、前記基地局を放送サービスのためのマルチキャストグループから解除(De-registration)する。前記ＩＧＭＰ手続きによって前記マルチキャストルータはマルチキャストルーティング情報を更新する。
【００４４】
前記マルチキャストルータにおいてマルチキャストグループ解除を完了すると、過程６４０において前記ＰＣＦはＡ９−Release−Ａ８ Completeメッセージを前記基地局に送る。これで前記基地局はマルチキャストグループから解除される。
【００４５】
前記更新されたマルチキャストルーティング情報は過程６５０においてマルチキャストルーティングプロトコルを用いて前記マルチキャストルータからＰＤＳＮを通じて他の全ての該当マルチキャストルータに転送され、最終的には前記放送サービスサーバに通報される。したがって、前記放送サービスサーバからのＩＰマルチキャストデータは前記基地局に伝達されない。
【００４６】
一方、本発明の詳細な説明では具体的な実施例を上げて説明したが、本発明の範囲を外れない限度内で様々な変形が可能であることはもちろんである。したがって、本発明の範囲は、説明された実施例によって限定されず、特許請求の範囲及びこの特許請求の範囲と均等なものにより定められるべきである。
【図面の簡単な説明】
【００４７】
【図１】基地局から受信する放送サービス用パラメータメッセージ(ＢＳＰＭ)のフォーマットを示す図。
【図２】本発明によって移動放送サービスに関連したフィールドを持つ位置登録メッセージのフォーマットを示す図。
【図３】本発明が適用される移動端末のブロック構成を示す図。
【図４】本発明が適用される移動放送サービスシステムの全体構成を示す図。
【図５】本発明が適用される移動放送サービスシステムにおいて基地局をマルチキャストグループに登録するための過程を示す図。
【図６】本発明の実施例に係る放送サービス終了手続きのための端末における装置を示す図。
【図７】本発明の実施例に係る放送サービス終了手続きのための端末における動作を示す流れ図。
【図８】本発明の実施例に係る放送サービス終了手続きのための基地局における動作を示す流れ図。
【図９】本発明の実施例によって放送サービスシステムにおいて基地局をマルチキャストグループから解除するための過程を示す図。
【図１】
2005512452.tif 000003
【図２】
2005512452.tif 000004
【図３】
2005512452.tif 000005
【図４】
2005512452.tif 000006
【図５】
2005512452.tif 000007
【図６】
2005512452.tif 000008
【図７】
2005512452.tif 000009
【図８】
2005512452.tif 000010
【図９】
2005512452.tif 000011
【国際調査報告】
2005512452.tif 000012